(57)【特許請求の範囲】
【請求項１】
構造材の屋外側に複数の面材を張り付け、前記面材の屋外側に間隔を隔てて屋外側断熱材を設けると共に前記屋外側断熱材と前記面材との間に密閉空間を形成し、前記屋外側断熱材の屋外側に外装材を設け、前記面材の屋内側に屋内側断熱材を設けて成る断熱壁において、隣接する前記面材の間の隙間を塞ぐように気密テープを張り付け、前記面材には止着具が屋外側から挿入されていると共にこの止着具が前記屋内側断熱材にまで至っていることを特徴とする断熱壁。
【請求項２】
前記面材の屋外側面に透湿防水シートを設けて成ることを特徴とする請求項１に記載の断熱壁。
【請求項３】
前記外装材と前記屋外側断熱材との間に通気層を形成して成ることを特徴とする請求項１又は２に記載の断熱壁。
【発明の詳細な説明】
【技術分野】
【０００１】
本発明は、新築の木造建物や鉄骨建物などに好適に用いることができる断熱壁に関するものである。
【背景技術】
【０００２】
外張り断熱工法は柱や間柱などの外側（屋外側）に断熱壁（断熱層）を設ける工法であって、本出願人は断熱材と外装材及び壁材留具を用いた断熱壁を提案している（例えば、特許文献１参照）。この断熱壁では、柱などの構造材の屋外側に透湿防水シートを設けると共に壁材留具を用いて透湿防水シートの屋外側に断熱材を配設し、透湿防水シートと断熱材との間を密閉空間（密閉層）として断熱効果を得るようにしている。
【特許文献１】特開２００７−９５６９号公報
【発明の開示】
【発明が解決しようとする課題】
【０００３】
しかし、上記の断熱壁では薄い透湿防水シートのみで屋内側の気密性を確保しているために、断熱効果を高く得ることが難しいという問題があった。
【０００４】
本発明は上記の点に鑑みてなされたものであり、断熱効果を高めることができる断熱壁を提供することを目的とするものである。
【課題を解決するための手段】
【０００５】
本発明の請求項１に係る断熱壁は、構造材３９の屋外側に複数の面材８２、８２、・・・を張り付け、前記面材８２の屋外側に間隔を隔てて屋外側断熱材３を設けると共に前記屋外側断熱材３と前記面材８２との間に密閉空間３３を形成し、前記屋外側断熱材３の屋外側に外装材４を設け、前記面材８２の屋内側に屋内側断熱材８３を設けて成る断熱壁において、隣接する前記面材８２、８２の間の隙間を塞ぐように気密テープを張り付け、前記面材８２には止着具７が屋外側から挿入されていると共にこの止着具７が前記屋内側断熱材８３にまで至っていることを特徴とするものである。
【０００６】
本発明の請求項２に係る断熱壁は、請求項１において、面材８２の屋外側面に透湿防水シート４７を設けて成ることを特徴とするものである。
【０００８】
本発明の請求項３に係る断熱壁は、請求項１又は２において、外装材４と屋外側断熱材３との間に通気層８１を形成して成ることを特徴とするものである。
【発明の効果】
【０００９】
請求項１の発明では、屋外側断熱材３に加えて面材８２により密閉空間３３を形成して断熱効果を得ることができ、断熱効果を高めることができるものであり、しかも、透湿防水シートよりも厚くて強度の大きい面材８２を用いることで、経年変化で破損が起こりにくく密閉空間３３の劣化を防ぐことができ、断熱効果の低下を防止することができるものである。また、屋内側断熱材８３によっても断熱効果を得ることができ、断熱効果を高めることができるものである。
【００１０】
請求項２の発明では、透湿防水シート４７より防水性を確保しながら湿度を通過させることができ、内部結露の発生を抑制することができるものである。
【００１２】
請求項３の発明では、通気層８１を設けることにより、湿気を含む空気が通気層８１を流通して屋外に排出されることになり、内部結露の発生を抑制することができるものである。
【発明を実施するための最良の形態】
【００１３】
以下、本発明を実施するための最良の形態を説明する。
【００１４】
本発明の断熱壁は図１に示すように、構造材３９、面材８２、屋外側断熱材３、外装材４、屋内側断熱材８３、透湿防水シート４７などを用いて形成することができる。
【００１５】
構造材３９は柱や間柱などの建物の躯体であって、鉄骨建物の場合はＣ型鋼などの型鋼材を用いて形成されている。
【００１６】
面材８２は透湿防水シート４７よりも厚くて強度や剛性が高く、しかも断熱性能の優れる平板材を用いることができ、例えば、合板や配向性ストランドボード（ＯＳＢ）などの木質系ボード、中密度繊維板（ＭＤＦ）やケナフボード等の建築材料、この他に商品名「ダイライト」などの耐力面材や構造用パネルなどを用いることができる。面材８２の厚みは、例えば、５〜１２ｍｍとすることができるが、これに限定されるものではない。
【００１７】
屋外側断熱材３及び屋内側断熱材８３としては、ウレタンフォームやフェノールフォームなどの樹脂発泡体やグラスウールやロックウールなどの繊維集合体などで形成されるボードを使用することができる。また、屋外側断熱材３及び屋内側断熱材８３の厚み及び密度は、例えば、屋外側断熱材３は厚み２５〜５０ｍｍ、密度２０ｋｇ／ｍ３以上、屋内側断熱材８３は厚み５０〜１００ｍｍ、密度１０〜３２ｋｇ／ｍ３とすることができるが、これに限定されるものではない。
【００１８】
外装材４としては、繊維補強セメント板などの窯業系建築板で略平板状に形成されるものであって、その下端には実部６３が突設されていると共に外装材４の上端には実受け部６４が突設されている。また、外装材４の実部６３の裏面側には断面略逆Ｖ字状の溝部６１が形成されている。
【００１９】
透湿防水シート４７としては、ＪＩＳ  Ａ  ６１１１に適合するものを用いることができる。
【００２０】
本発明の断熱壁は上記の他に壁材留具Ａを用いることができる。壁材留具Ａは、ステンレス鋼やアルミニウムなどの金属成形品あるいは硬質プラスチックなどのプラスチック成形品などで形成されるものであって、幅寸法が５０ｍｍ程度のピース物（屋外側断熱材３や外装材４の幅寸法に比べて幅寸法が短い短尺物）として形成することができる。また、壁材留具Ａは、図２（ａ）（ｂ）に示すように、固定片２０、断熱材支持片２１、上係止部２７、下係止部２８、外装材保持部２２などを備えて形成されている。尚、壁材留具Ａは長尺ものであってもよい。断熱材支持片２１は略水平の平板状に形成されている。断熱材支持片２１の後端には固定片２０が上側に突出して設けられている。固定片２０は断熱材支持片２１の後端から前側に向って突出するように延設された屈曲部３１と、屈曲部３１の先端から後側に向かって突出するように延設された傾斜部７２と、傾斜部７２の先端から上側に向かって突出するように延設された固着部４０とで形成されている。固着部４０には複数の固着孔４１が幅方向に並んで設けられている。固着孔４１は必ずしも複数個設ける必要はなく、例えば、真ん中の位置に１個だけであってもよい。また、ビス等を打ち込んで使用する固着孔４１も１個だけであってもよい。また、断熱材支持片２１の後端には挟持片４３が下側に突出して設けられている。断熱材支持片２１の前端には、上側に向って突出する上係止部２７と、下側に向って突出する下係止部２８とが形成されている。上係止部２７と下係止部２８とは上下に真っ直ぐに並んでおり、上係止部２７と下係止部２８の内部には空隙部４４が形成されている。そして、この上係止部２７と下係止部２８が通気層形成手段３０として形成されている。上係止部２７の上部の前面（屋外側面）と下係止部２８の下部の前面（屋外側面）は曲面に形成されており、外装材４や屋外側断熱材３が差し込みやすくなっている。また、上係止部２７と下係止部２８の厚み（前後方向の寸法）を変えることにより、外装材４と屋外側断熱材３の間に形成される通気層８１の寸法を変えることができる。外装材保持部２２は下係止部２８の前面に設けられている。従って、外装材保持部２２は下係止部２８の断熱材支持片２１側の面と反対側の面に突設されている。外装材保持部２２は下係止部２８の前面から上方に向かって略倒く字状に形成される上向き保持片４５と、上向き保持片４５の下面に突設される断面略倒Ｌ字状の下向き保持片４６とで形成されている。
【００２１】
そして、本発明の断熱壁は以下のようにして形成する。まず、基礎３７上に設けた土台３８と土台３８に立設した構造材３９との両方の屋外側に面材８２を張り付けて壁下地２を形成する。このとき、面材８２の裏面（屋内側面）を土台３８及び構造材３９の屋外側面に接触させた状態でビスや釘などの固定具で固定することができる。また、複数枚の面材８２、８２…を縦横に並べて配設する場合は、隣接する面材８２、８２の間の隙間を塞ぐように気密テープを貼り付けることができ、これにより、後述の密閉空間３３の密閉性を確保することができる。この気密テープは通気性のない基材に粘着層を設けて形成されるテープ材である。
【００２２】
次に、面材８２の屋内側面に屋内側断熱材８３を設ける。屋内側断熱材８３は構造材３９の部分を除いて面材８２の屋内側面の略全面にわたって貼り付けることができる。また、面材８２の屋外側面に透湿防水シート４７を全面にわたって貼り付けて設ける。この場合、透湿防水シート４７は土台３８の屋外側面も覆うように配置される。
【００２３】
次に、壁下地２の上部において透湿防水シート４７の表面には、角材等で形成される胴縁８０を取り付ける。この胴縁８０は天井板（軒天井）７０の直ぐ下側に横方向に長く配設されるものであり、止着具７により面材８２及び構造材３９に固定する。また、壁下地２の下部において面材８２の表面に土台水切り５０を取り付けると共に、透湿防水シート４７の表面にスタータ金具５１を取り付ける。スタータ金具５１は、断面略ロ字状の基台５７の上面に基台係止部５８を突設すると共に基台５７の上面後方に取付片５９を設け、さらに、基台５７の屋外側面に基台保持片６０を突設することによって形成されている。そして、スタータ金具５１の取付片５９と土台水切り５０の上部とにビスや釘等の止着具７を挿通して壁下地２の土台３８に螺入することによって、壁下地２の表面（屋外側面）の下部に土台水切り５０とスタータ金具５１とを取り付ける。尚、スタータ金具５１はピース物であってもよいし、長尺ものであってもよい。また、止着具７は壁下地２の柱や間柱などに留め付けることができる。また、土台水切り５０は基礎３７を上方で覆うように配置される。また、土台水切り５０の上部は透湿防水シート４７で覆われ、透湿防水シート４７の土台水切り５０の上部を覆う部分の表面にスタータ金具５１を取り付ける。
【００２４】
次に、壁下地２の上部と下部において透湿防水シート４７の表面に気密パッキン６７を設ける。気密パッキン６７は、例えば、発泡樹脂系テープを用いることができる。壁下地２の上部では胴縁８０の下側において横方向に長く気密パッキン６７を配設し、壁下地２の下部では土台水切り５０及びスタータ金具５１の上側において横方向に長く気密パッキン６７を配設する。尚、開口部等の取り合い部分も天井板７０の部分と同様に、胴縁とパッキンで密閉性を確保することができる。
【００２５】
次に、屋外側断熱材３をスタータ金具５１に支持して壁下地２及び透湿防水シート４７の屋外側に配設する。この場合、屋外側断熱材３の下端部を壁下地２に取り付けたスタータ金具５１の基台係止部５８と取付片５９の間に差し込むことによって、屋外側断熱材３をスタータ金具５１に保持して支持する。また、屋外側断熱材３の屋内側面を上記パッキン６７に密着させることによって、屋外側断熱材３と壁下地２の面材８２及び透湿防水シート４７の間にパッキン６７の厚み分の密閉空間３３を形成する。密閉空間３３はパッキン６７により密閉性（気密性）が確保されるものであり、この密閉空間３３により断熱効果を向上させることができる。
【００２６】
次に、外装材４をスタータ金具５１に支持する。このとき、外装材４の溝部６１を壁下地２に取り付けたスタータ金具５１の基台保持片６０に差し込むことによって、外装材４をスタータ金具５１に保持して支持する。従って、外装材４は屋外側断熱材３の屋外側に配置された状態となる。
【００２７】
次に、スタータ金具５１で壁下地２の屋外側に配置された上記屋外側断熱材３と外装材４の上側に上記壁材留具Ａを取り付ける。壁材留具Ａを取り付けるにあたっては、上記スタータ金具５１で支持した屋外側断熱材３の上端部を壁材留具Ａの挟持片４３と下係止片２８との間に挿入すると共に、上記スタータ金具５１で支持した外装材４の上端の実受け部６４に外装材保持部２２の下向き保持片４６を係止し、この後、固定片２０の固着部４０を止着具７により壁下地２に固定する。このようにして上記屋外側断熱材３と外装材４の上側に壁材留具Ａを取り付けるが、壁材留具Ａは屋外側断熱材３と外装材４の幅方向の複数箇所に設けるようにする。
【００２８】
次に、図１に示すように、上記壁材留具Ａの上にさらに別の屋外側断熱材３を載置する。すなわち、新たな屋外側断熱材３の下端部を壁下地２に取り付けた上記壁材留具Ａの固定片２０と上係止部２７の間に差し込むことによって、屋外側断熱材３を壁材留具Ａに保持して支持する。次に、断熱材支持片２１を挟んで上下に隣接する屋外側断熱材３、３の間に形成される隙間を閉塞するように気密テープを貼着する。この気密テープは通気性のない基材に粘着層を設けて形成されるテープ材であって、上下に隣接する断熱材３、３の端部間にわたるように気密テープを貼着することによって、隙間を閉塞して断熱性の低下を防止するものである。
【００２９】
次に、上記壁材留具Ａにさらに別の外装材４を支持させる。すなわち、新たな外装材４の下端部の溝部６１を壁下地２に取り付けた上記壁材留具Ａの外装材保持部２２の上向き保持片４５に差し込むことによって、外装材４を壁材留具Ａに保持して支持する。ここで、この上側の外装材４の下端に設けた実部６３を、下側の外装材４の上端に設けた実受け部６４の屋外側に重ね合わせることによって、上下に隣接する外装材４、４を接続すると共に下側の外装材４の実受け部６４及び壁材留具Ａの外装材保持部２２を実部６３で被覆する。
【００３０】
この後、壁材留具Ａに支持した上記屋外側断熱材３と外装材４の上側にさらに別の壁材留具Ａを取り付ける。この壁材留具Ａは上記と同様の方法で取り付けることができる。そして、所定数の壁材留具Ａと屋外側断熱材３と外装材４とを下から上へと順次取り付けていく。このようにして本発明の断熱壁を形成することができる。
【００３１】
図３（ａ）に断熱壁の上端付近を示す。最上の外装材４と屋外側断熱材３との間及び最上の外装材４と胴縁８０の間にはスペーサ６９を設け、最上の外装材４の表面（屋外面）からスペーサ６９を貫通して胴縁８０に止着具７を螺入することによって、外装材４をその上部で固定するようにしている。また、最上の屋外側断熱材３と胴縁８０との間の隙間は気密テープ６６を貼着して塞ぐようにする。また、最上の外装材４と天井板７０の間には見切り縁７１を設ける。そして、外装材４と屋外側断熱材３の間には通気層形成手段３０の厚み寸法分の通気層８１が形成され、この通気層８１により外装材４の裏面側（屋内側）の結露を防止することができる。尚、本発明では、横方向にも屋外側断熱材３、３…及び外壁材４、４…を隣接させて配置するが、横方向に隣接する屋外側断熱材３、３の側端面の間には隙間が形成されることがある。この場合、この隙間を覆うようにして気密テープを屋外側面に貼着することによって断熱性の低下を防止することができる。また、横方向に隣接する外壁材４、４の間には防水性を確保するために、バックアップ材とシーリングからなる防水材を充填することができる。
【図面の簡単な説明】
【００３２】
【図１】本発明の実施の形態の一例を示し、（ａ）は縦方向の断面図、（ｂ）は横方向の断面図である。
【図２】同上の壁材留具の一例を示し、（ａ）は側面図、（ｂ）は正面図である。
【図３】同上の一部を示し、（ａ）（ｂ）は断面図である。
【符号の説明】
【００３３】
３  屋外側断熱材
４  外装材
３３  密閉空間
３９  構造材
４７  透湿防水シート
８１  通気層
８２  面材
８３  屋内側断熱材
【図１】
0005237629.tif 000002
【図２】
0005237629.tif 000003
【図３】
0005237629.tif 000004